(57)【特許請求の範囲】
【請求項１】
本体内部に設置されて調理物を入れる内鍋と、加熱コイル、スイッチング素子、共振コンデンサで構成される前記内鍋を加熱するインバータ回路と、サーミスタ等の温度センサを備えた前記内鍋の温度を入力する温度入力手段と、炊飯中の工程時間を計時する計時手段と、前記温度入力手段と前記計時手段の出力により前記インバータ回路を制御して炊飯を行う炊飯制御手段と、炊飯動作が所定の時間内に前記内鍋の温度が所定の温度に到達しないことを検知して、前記内鍋に異物が付着していることを検知する異物検知手段と、前記異物検知手段が異物を検知したとき、炊飯を停止して異常表示を行う異常表示手段と、商用電源の高電圧を検知してインバータをオフする高電圧検知手段と、高電圧検知手段が高電圧を検知したことを記憶する第一の記憶手段を備え、前記第一の記憶手段の出力により、前記異常表示手段が前記異物検知手段が異物を検知したときの異常表示と表示を切り換える炊飯器。
【請求項２】
商用電源の停電を検知してインバータをオフする停電検知手段と、前記停電検知手段が停電を検知したことを記憶する第二の記憶手段を備え、前記第二の記憶手段の出力により、前記異常表示手段が表示を切り換える請求項１記載の炊飯器。
【請求項３】
鍋なしあるいは所定以外の鍋が入っていると検知すると、インバータをオフする小物検知手段と、前記小物検知手段が小物を検知したことを記憶する第三の記憶手段を備え、前記第三の記憶手段の出力により、前記異常表示手段が表示を切り換える請求項１記載の炊飯器。
【請求項４】
内鍋の温度を入力するサーミスタ等の温度センサが断線したことを検知してインバータをオフする断線検知手段と、前記断線検知手段が温度センサが断線したことを検知したことを記憶する第四の記憶手段を備え、前記第四の記憶手段の出力により、前記異常表示手段が表示を切り換える請求項１記載の炊飯器。
【請求項５】
炊飯器本体の温度を検知する本体温度検知手段を備え、炊飯開始時に炊飯器本体の温度が所定の温度を超えている場合に、連続的に炊飯を行ったと判断する連続炊飯検知手段と、前記連続炊飯検知手段が連続的に炊飯を行ったことを記憶する第五の記憶手段手段を備え、前記第五の記憶手段により、前記異常表示手段が表示を切り換える請求項１記載の炊飯器。
【請求項６】
使用者が操作するためのキー入力手段を有し、前記異常表示手段が、複数の異常検知状態を切り換えて表示する請求項１〜５のいずれか１項に記載の炊飯器。
【請求項７】
ブザーを有する異常報知手段を備え、前記異常報知手段が検知した異常の内容によって、報知の鳴動周期または周波数を切り換える請求項１〜５のいずれか１項に記載の炊飯器。
【発明の詳細な説明】
【０００１】
【発明の属する技術分野】
本発明は、炊飯器に関するものである。
【０００２】
【従来の技術】
近年、消費者意識の高まりと共に、より高機能な炊飯器が求められ、マイクロコンピュータを内臓したものが普及している。
【０００３】
以下に従来の炊飯器について説明する。
【０００４】
図９は、従来の炊飯器のブロック図である。図９において、１が本体内部に設置されて調理物を入れる内鍋、２が内鍋を加熱するインバータ回路で、加熱コイル、ＩＧＢＴ等のスイッチング素子、共振コンデンサ等により構成される。３は内鍋１の温度を測定するサーミスタ等の温度センサを備えた温度入力手段である。４は炊飯の各工程の時間を計時する計時手段である。５は温度入力手段３から内鍋１の温度と、計時手段４で計時した時間により、インバータ回路２にインバータをオンまたはオフする信号を出力し、炊飯動作を制御する炊飯制御手段である。６は炊飯制御手段５が炊飯を制御している時に、所定の時間内に所定の温度に到達しないことから、内鍋１に米等の異物が付着し、サーミスタ等の温度センサが正常に入力できないことを検知し、炊飯制御手段５に炊飯動作を停止させる異物検知手段である。７は異物検知手段５が、内鍋１に米等の異物が付着し、サーミスタ等の温度センサが正常に入力できないことを検知し、炊飯を異常停止したことを使用者に知らせるＬＣＤ等の表示素子を備えたの異常表示手段である。８が商用電源の高電圧を検知し、インバータ回路２をオフすることにより、インバータ回路２を破壊等の故障から保護する高電圧検知手段である。
【０００５】
図１０（ａ）は、異物検知手段６が、米等の異物が内鍋１に付着していることを検知して炊飯動作を停止する動作のフローチャートである。炊飯制御手段５が炊飯を開始すると、ステップ２１の前炊き工程になり、前炊き工程を終了するとステップ２２になり、炊き上げ工程になる。炊き上げ工程では、ステップ２３で、炊き上げ終了温度に到達すると、炊き上げ工程を終了し、ステップ２４のむらし工程に移行する。むらし工程の動作を行った後、炊飯を終了する。ステップ２３で、炊き上げ終了温度に到達しない場合、ステップ２５に移行する。ステップ２５で炊き上げ終了時間に到達しない場合、ステップ２２に戻り、炊き上げ工程を続ける。ステップ２５で炊き上げ終了時間に到達すると、ステップ２６に移行し炊飯を停止して、異常表示手段６が異物を検知したことを表示する。
図１０（ｂ）は、異物検知手段５が、異物を検知をした場合に表示する異物異常表示の一例である。
【０００６】
【発明が解決しようとする課題】
しかしながら、高電圧検知手段８により、インバータがオフし、加熱ができないために、炊飯の時間が通常より長くなる場合も、異物検知手段６が異物と判断するため、異常動作の原因が明確にならず、使用者が正しい使い方がわからない、または、修理がうまくできない、といった問題点があった。
【０００７】
そこで本発明では、高電圧異常を検知してインバータがオフし、加熱ができないために、誤って異物付着を検知し、異常終了した場合にも、高電圧を検知したことによりインバータをオフしたことを使用者に知らせることができ、適切な処置ができる炊飯器を供給することを第一の目的としている。
【０００８】
また、炊飯中に停電を検知してインバータがオフし、加熱ができないために、誤って異物付着を検知し、異常終了した場合にも、停電を検知したことにより、インバータがオフしたことを使用者に知らせることができ、適切な処置ができる炊飯器を供給することを第二の目的としている。
【０００９】
また、鍋なしあるいは所定以外の鍋が入っていると検知してインバータがオフし、加熱ができないために、誤って異物付着を検知し、異常終了した場合にも、鍋なしあるいは所定以外の鍋が入っていると検知してインバータがオフしたことを使用者に知らせることができ、適切な処置ができる炊飯器を供給することを第三の目的としている。
【００１０】
また、温度入力を行うサーミスタ等の温度センサが断線してインバータがオフし、加熱ができないために、誤って異物付着を検知し、異常終了した場合にも、断線検知により、インバータがオフしたことを使用者に知らせることができ、適切な処置ができる炊飯器を供給することを第四の目的としている。
【００１１】
また、連続して炊飯を行ったために、炊飯開始時から本体の温度が高く、正常な炊飯動作ができないため、誤って異物付着を検知し、異常終了した場合にも、連続炊飯検知により、正常に温度の入力ができなかったことを使用者に知らせることができ、適切な処置ができる炊飯器を供給することを第五の目的としている。
【００１２】
また、異物検知、高電圧検知、停電検知、小物検知、断線検知あるいは連続炊飯検知の各異常検知が複数同時に起こった場合にも、異常の原因を使用者に知らせることができ、適切な処置ができる炊飯器を提供することを第六の目的としている。
【００１３】
そして、各異常の状態をブザーにより報知することにより、使用者が故障の原因あるいは誤った使用方法がわかりやすい炊飯器を提供すること第七の目的としている。
【００１４】
【課題を解決するための手段】
上記第一の目的を達成するために、本体内部に設置されて調理物を入れる内鍋と、前記内鍋を加熱するインバータ回路と、サーミスタ等の温度センサを有する前記内鍋の温度を入力する温度入力手段と、炊飯中の工程時間を計時する第一の計時手段を有し、前記インバータ回路の動作を制御して炊飯を行う炊飯制御手段と、炊飯動作が所定の時間内に前記内鍋の温度が所定の温度に到達しないことを検知して、前記内鍋に異物が付着していることを検知する異物検知手段と、前記異物検知手段が異物を検知したとき、炊飯を停止し、異常表示を行う異常表示手段と、商用電源の高電圧を検知しインバータをオフする高電圧検知手段と、高電圧検知手段が高電圧を検知したことを記憶する第一の記憶手段と、前記第一の記憶手段の出力により、前記異物検知手段が異物を検知したときの異常表示と表示を切り換える炊飯器。
【００１５】
上記第二の目的を達成するために、商用電源の停電を検知し、インバータをオフする停電検知手段と、前記停電検知手段が停電を検知したことを記憶する第二の記憶手段と、前記第二の記憶手段の出力により、前記異常表示手段が表示を切り換える請求項１記載の炊飯器。
【００１６】
上記第三の目的を達成するために、鍋なしあるいは所定以外の鍋が入っていると検知すると、インバータをオフする小物検知手段と、前記小物検知手段が小物を検知したことを記憶する第三の記憶手段と、前記第三の記憶手段の出力により、前記異常表示手段が表示を切り換える請求項２から３記載の炊飯器。
【００１７】
上記第四の目的を達成するために、内鍋の温度を入力する温度センサが断線したことを検知し、インバータをオフする断線検知手段と、前記断線検知手段が温度センサが断線したことを検知したことを記憶する第四の記憶手段と、前記第四の記憶手段により、前記異常表示手段が表示を切り換える請求項１から３記載の炊飯器。
【００１８】
上記第五の目的を達成するために、炊飯開始時の本体の温度が所定の温度を超えている場合に、連続的に炊飯を実効したと判断する連続炊飯検知手段と、前記連続炊飯検知手段が検知した連続的に炊飯を実効したことを記憶する第５の記憶手段手段と、前記第一の記憶手段と、前記第二の記憶手段の出力により、前記第五の記憶手段により、前記異常表示手段が表示を切り換える請求項１から４記載の炊飯器。
前記異常表示手段が表示を切り換える炊飯器。
【００１９】
上記第六の目的を達成するために、キー入力手段を有し、前記異常表示手段が、複数の異常検知状態を切り換えて表示する請求項１から５記載の炊飯器。
【００２０】
上記第七の目的を達成するために、ブザー等の報知手段を備え、検知した異常の内容によって、報知の鳴動パターンを切り換える異常報知制御手段よりなるようにを構成したものである。
【００２１】
【発明の実施の形態】
請求項１に記載の発明は、高電圧を検知してインバータがオフしたために、誤って異物付着を検知し、炊飯動作を異常終了した場合にも、高電圧を検知してインバータがオフしたことを使用者に知らせることができるものである。
【００２２】
請求項２に記載の発明は、炊飯中に停電を検知してインバータがオフしたために、誤って異物付着を検知し、炊飯動作を異常終了した場合にも、停電を検知してインバータがオフしたことを使用者に知らせることができるものである。
【００２３】
請求項３に記載の発明は、鍋なしあるいは所定以外の鍋が入っていると検知してインバータがオフしたために、誤って異物付着を検知し、炊飯を異常終了した場合にも、鍋なしあるいは所定以外の鍋が入っていると検知してインバータがオフしたことを使用者に知らせることができるものである。
【００２４】
請求項４に記載の発明は、温度入力を行うサーミスタ等の温度センサが断線してインバータがオフしたために、誤って異物付着を検知し、炊飯動作を異常終了した場合にも、温度センサが断線したことを検知してインバータがオフしたことを使用者に知らせることができるものである。
【００２５】
請求項５に記載の発明は、連続して炊飯を行ったために、炊飯開始時から本体の温度が高く、正常な炊飯動作ができないため、誤って異物付着をを検知し、炊飯動作を異常終了した場合にも、連続して炊飯したために、正常に温度の入力ができなかったことを使用者に知らせることができるものである。
【００２６】
請求項６に記載の発明は、異物異常、高電圧異常、停電異常、小物異常、温度センサの断線異常あるいは連続炊飯異常の各異常検知が複数同時に起こった場合にも、異常の原因を使用者に知らせることができるものである。
本発明の請求項７に記載の発明は、各異常の状態を報知音でも識別でき、使用者に故障の原因をよりわかりやすく知らせるものである。
【００２７】
【実施例】
（実施例１）
以下、本発明の実施例について図面を参照しながら説明する。
【００２８】
図１は第一の実施例のブロック図である。図１において、１１が本体内部に設置されて調理物を入れる内鍋、１２が加熱するインバータ回路で、加熱コイル、ＩＧＢＴ等のスイッチング素子、共振コンデンサ等により構成される。１３は内鍋１の温度を測定するサーミスタ等の温度センサを有する温度入力手段である。１４は炊飯の各工程時間を計時する計時手段である。１５は温度入力手段３から出力される内鍋１の温度と、計時手段１４から出力される時間を入力し、インバータ回路２にインバータをオンまたはオフする信号を出力し、炊飯動作を制御する炊飯制御手段である。１６は炊飯制御手段１５が炊飯を制御している時に、所定の時間内に所定の温度に到達しないことから、内鍋１に米等の異物が付着し、サーミスタ等の温度センサが正常に入力できないことを検知し、炊飯制御手段１５に炊飯動作を停止させる異物検知手段である。１７は異物検知手段５が、内鍋１１に米等の異物が付着し、サーミスタ等の温度センサが入力できないことを検知して炊飯を異常停止したことを使用者に知らせるＬＣＤ等の異常表示手段である。１８が商用電源の高電圧を検知してインバータ回路２にインバータをオフする信号を出力し、インバータ回路２を破壊等の故障から保護する高電圧検知手段である。１９が高電圧検知手段により、高電圧を検知したことを記憶する第一の記憶手段である。異常表示手段１７は、第一の記憶手段１９の出力により、高電圧を検知していれば、高電圧異常表示を行い、高電圧を検知していなければ、異物異常表示を行う。
【００２９】
第一の実施例の異常表示の動作について、図２（ａ）により説明する。ステップ４１で、前炊き工程を行う。ステップ４２で、炊き上げ工程を行う。ステップ４３で炊き上げ終了温度に到達するとステップ４４のむらし工程に移行する。ステップ４３で炊き上げ終了温度に到達しない場合、ステップ４５に移行する。ステップ４５で炊き上げ終了時間に達しない場合、ステップ４２に戻り、炊き上げ工程を継続する。ステップ４５で炊き上げ終了時間に到達した場合、ステップ４６に移行する。ステップ４６で高電圧検知をしたことを記憶していない場合、ステップ４７で異物検知表示を行い、ステップ４６で高電圧検知したことを記憶している場合ステップ４８で高電圧異常表示を行う。図２（ｂ）は、高電圧異常表示の表示例である。
【００３０】
（実施例２）
図３は第二の実施例のブロック図である。図３において、２１から２７は図１と同様である。３０が商用電源が停電したことを検知するとインバータ回路にインバータをオフする信号を出力する停電検知手段である。３１が停電検知手段３０が停電を検知したことを記憶する第二の記憶手段である。異常表示手段２７は、第二の記憶手段３１の出力により、停電を検知していれば、停電異常表示を行い、停電を検知していなければ、異物異常表示を行う。
【００３１】
（実施例３）
図４は第三の実施例のブロック図である。図４において、２１から２７は図１と同様である。３２が小物検知手段で鍋なしあるいは所定の鍋以外の鍋が入っていることを検知すると、インバータ回路にインバータをオフする信号を出力する。３３が小物検知手段３２が鍋なしあるいは所定の鍋以外の鍋が入っていると検知したことを記憶する第三の記憶手段である。異常表示手段２７は、第三の記憶手段３３の出力により、鍋なしあるいは所定の鍋以外の鍋が入っていると検知していれば、小物異常表示を行い、鍋なしあるいは所定の鍋以外の鍋が入っていると検知していなければ、異物異常表示を行う。
【００３２】
（実施例４）
図５は第四の実施例のブロック図である。図５において、２１から２６は図１と同様である。３４が断線検知手段で温度入力手段２３の出力により、サーミスタ等の温度センサの断線を検知すると、インバータ回路にインバータをオフする信号を出力する。３５は断線検知手段３４が温度センサが断線を検知したことを記憶する第四の記憶手段である。異常表示手段２７は、第四の記憶手段３５の出力により、温度センサが断線したこと検知していれば、断線異常表示を行い、温度センサが断線した検知していなければ、異物異常表示を行う。
【００３３】
（実施例５）
図６は第五の実施例のブロック図である。図６において、２１から２７は図１と同様である。３６が連続炊飯検知手段で温度入力手段１３の出力により、炊飯開始時の内鍋の温度が所定の温度を超えている場合、連続して炊飯をおこなっていると判断する。３７が連続炊飯検知手段２５が連続して炊飯が行われたことを検知したことを記憶する第五の記憶手段である。異常表示手段２７は、第五の記憶手段３７の出力により、連続して炊飯が行われたと検知していれば、連続炊飯異常表示を行い、連続して炊飯がおこなわれたと検知していなければ、異物異常表示を行う。なお、連続炊飯検知手段２５が入力する温度には、内鍋２１の温度ではなく、炊飯器本体の温度を入力する方がより精度よく、連続炊飯の検知が行える。
【００３４】
（実施例６）
図７は第六の実施例のブロック図である。図７において、２１から２９は図１と、３２、３３は図４と同様である。３８が使用者が操作できるスイッチの入力を行うキー入力手段であり、異常表示手段１６は、キー入力手段２７の出力により、異物付着異常表示、高電圧異常表示および小物検知異常表示を切り換える。図８は第七の実施例のブロック図である。図８において、２１から２９は図１と同様である。３９がブザー等を備えた異常報知手段である。異常表示手段２７は、第一の記憶手段２９の出力により、高電圧を検知していれば、高電圧異常報知を行い、高電圧を検知していなければ、異物異常報知を行う。
【００３５】
【発明の効果】
以上のように、請求項１に記載の発明は、炊飯中に商用電源の高電圧を検知してインバータがオフしたために、誤って異物付着を検知し、炊飯動作を異常終了した場合にも、高電圧検知により、炊飯途中にインバータがオフしたことを使用者に知らせることができ、故障や誤使用に対し適切な処置ができる炊飯器を供給することが実現できることである。
【００３６】
また、請求項２に記載の発明は、炊飯中に商用電源の停電を検知してインバータがオフしたために、誤って異物付着を検知し、炊飯動作を異常終了した場合にも、停電を検知してインバータがオフしたことを使用者に知らせることができ、故障や誤使用に対し適切な処置ができる炊飯器を供給することが実現できることである。
【００３７】
また、請求項３に記載の発明は、鍋なしあるいは所定以外の鍋が入っていると検知してインバータがオフしたために、誤って異物付着炊飯を検知し、異常終了した場合にも、鍋なしあるいは所定以外の鍋が入っていると検知して、インバータがオフしたことを使用者に知らせることができ、故障や誤使用に対して適切な処置ができる炊飯器を供給することが実現できることである。
【００３８】
また、請求項４に記載の発明は、温度入力を行うサーミスタ等の温度センサが断線し、インバータがオフしたために、誤って異物付着炊飯を検知し、炊飯動作が異常終了した場合にも、炊飯途中に、断線検知により、インバータがオフしたことを使用者に知らせることができ、故障や誤使用に対し適切な処置ができる炊飯器を供給することが実現できることである。
【００３９】
また、請求項５に記載の発明は、連続炊飯を行ったために、炊飯開始時から本体の温度が高く、正常な炊飯動作ができないため、誤って異物付着炊飯を検知し、炊飯動作を異常終了した場合にも、連続炊飯検知により、正常に温度の入力ができなかったことを使用者に知らせることができ、故障や誤使用に対し適切な処置ができる炊飯器を供給することが実現できることである。
【００４０】
また、請求項６に記載の発明は、異物検知、高電圧検知、停電検知、小物検知、断線検知あるいは連続炊飯検知の各異常検知が複数同時に起こった場合にも、異常の原因を使用者に知らせることができ、適切な処置ができる炊飯器を提供することが実現できることである。
【００４１】
また、請求項７に記載の発明は、各異常の状態を報知音でも識別できる使用者のとって故障あるいは誤使用の内容がわかりやすい炊飯器を提供することが実現できることである。
【図面の簡単な説明】
【図１】本発明の第一の実施例における炊飯器のブロック図
【図２】（ａ）は、同炊飯器の異常表示動作のフローチャート
（ｂ）は、同炊飯器の異常表示の例を示した図
【図３】本発明の第二の実施例における炊飯器のブロック図
【図４】本発明の第三の実施例における炊飯器のブロック図
【図５】本発明の第四の実施例における炊飯器のブロック図
【図６】本発明の第五の実施例における炊飯器のブロック図
【図７】本発明の第六の実施例における炊飯器のブロック図
【図８】本発明の第七の実施例における炊飯器のブロック図
【図９】従来の炊飯器のブロック図
【図１０】（ａ）は、同炊飯器の異常表示動作のフローチャート
（ｂ）は、同炊飯器の異常表示の例を示した図
【図１】
0003622522.tif 000002
【図２】
0003622522.tif 000003
【図３】
0003622522.tif 000004
【図４】
0003622522.tif 000005
【図５】
0003622522.tif 000006
【図６】
0003622522.tif 000007
【図７】
0003622522.tif 000008
【図８】
0003622522.tif 000009
【図９】
0003622522.tif 000010
【図１０】
0003622522.tif 000011